(57)【要約】      （修正有）【課題】コネクタのロックを、雌コネクタ側において輸液管に捩れを生じさせることなく行うことができるコネクタを提供する。【解決手段】２つの輸液管を接続するコネクタの雌コネクタ５は、雌側連結管１３と、雄コネクタの雌ネジに対応する雄ネジ１４を有する雌側ロック部１２とを備える。雌側連結管１３は、輸液管３に接続される雌側接続部１５と、雄コネクタの円錐外面に対応する円錐内面１６を有する雌側連結部１７とを備え、雌側ロック部１２は、雌側連結管１３の軸線の周りに回転自在でかつ該軸線方向に拘束された状態で雌側連結管１３の外周に設けられる。【選択図】図３
2014117479.tif 000002
【特許請求の範囲】
【請求項１】
２つの輸液管を接続するコネクタの雌コネクタであって、
前記コネクタの雄コネクタは、雄側連結管と、該雄側連結管に固定された雄側ロック部とを備え、
前記雄側連結管は、一方の輸液管が接続される雄側接続部と、前端にかけて径が漸減する円錐外面を有する雄側連結部とを備え、
前記雄側ロック部は、前端側が開放した円筒状で雌ネジを有する内壁を前記円錐外面の外周に備え、
前記雌コネクタは、雌側連結管と、前記雌ネジに対応する雄ネジを有する雌側ロック部とを備え、
前記雌側連結管は、他方の輸液管に接続される雌側接続部と、前記円錐外面に対応する円錐内面を有する雌側連結部とを備え、
前記雌側ロック部は、前記雌側連結管の軸線の周りに回転自在でかつ該軸線方向に拘束された状態で該雌側連結管の外周に設けられることを特徴とする雌コネクタ。
【請求項２】
前記雌側連結管は、前記雌側接続部の外周面に対向する円筒状の内面を有して前端側が開口した外輪部を備え、
前記外輪部は、その内面側に突出した連結管側係合部を備え、
前記雌側ロック部は、その前端側に向いたロック部側係合面を有するロック部側係合部を備え、
前記連結管側係合部は、前記ロック部側係合面と接触して前記雌側ロック部の軸線周りの回転を許容しつつ前方への移動を阻止する連結管側係合面を有することを特徴とする請求項１に記載の雌コネクタ。
【請求項３】
前記連結管側係合部及び連結管側係合面は、前記外輪部の内面に沿った環状を呈しており、
前記ロック部側係合部は、前記雌側ロック部の後端部からその軸線方向に延出したロッド部と、該ロッド部の前端部に設けられた鉤状部とを備え、
前記ロック部側係合面は、前記鉤状部に設けられ、
前記雌コネクタを組み立てる際に、該雌側ロック部のロッド部が弾性変形して前記鉤状部が前記連結管側係合部を乗り越えることにより、前記連結管側係合面と前記ロック部側係合面とが接触することを特徴とする請求項２に記載の雌コネクタ。
【請求項４】
前記ロック部側係合部は、前記雌側ロック部の後端部外周において周方向に沿って設けられた環状溝を備え、
前記ロック部側係合面は、前記環状溝の側壁により構成され、
前記雌コネクタを組み立てる際に、前記雌側ロック部の環状溝の部分における前記連結管側係合部に対応する部分が弾性変形して該連結管側係合部が該環状溝に嵌まることにより、前記連結管側係合面と前記ロック部側係合面とが接触することを特徴とする請求項２に記載の雌コネクタ。
【請求項５】
前記雌側連結管の雌側接続部及び雌側連結部は一体物であり、
前記雌側ロック部及び雌側連結部は、別体であって、該雌側連結部の周方向外面が該雌側ロック部で覆われており、
前記雌コネクタの組立ては、前記雌側ロック部に対してその後端側から、前記雌側連結管をその前端側から挿入することにより行われることを特徴とする請求項３又は４に記載の雌コネクタ。
【請求項６】
前記雌側連結管の雌側接続部及び雌側連結部は別体であり、
前記雌側ロック部及び雌側連結部は、一体物であって、前記雌側接続部に対し、双方の摺動面を介して一体的に回転自在であり、
双方の摺動面の間には、シール部材が設けられ、
前記雌側ロック部の取付けは、前記一体物に対してその後端側から、前記雌側接続部を挿入することにより行われることを特徴とする請求項３又は４に記載の雌コネクタ。
【請求項７】
前記雌側連結管の雌側接続部の外周に配置される筒状の固定部材を備え、
前記雌側連結管は、その後端側に向いた連結管側接触面を有する凸部を前記雌側接続部の外周に備え、
前記固定部材は、その前端側が、前記雌側ロック部の後端部に固定され、後端側の内側に、前記凸部の連結管側接触面と接触して前記雌側ロック部の軸線周りの回転を許容しつつ前方への移動を阻止する固定部側接触面を備えることを特徴とする請求項１に記載の雌コネクタ。
【請求項８】
前記雌側ロック部は、その外周に、その軸線方向に平行な凸条を有する操作部を備えることを特徴とする請求項１〜７に記載の雌コネクタ。
【請求項９】
前記雌側ロック部の雄ネジに代えて、前記雄側ロック部の雌ネジによって変形されてネジ部が形成される締結部材を有することを特徴とする請求項１〜８のいずれか１項に記載の雌コネクタ。
【請求項１０】
２つの輸液管を接続するコネクタの雄コネクタであって、
前記コネクタの雌コネクタは、雌側連結管と、外周に雄ネジを有する雌側ロック部とを備え、
前記雌側連結管は、一方の輸液管に接続される雌側接続部と、前端にかけて径が漸増する円錐内面を有する雌側連結部とを備え、
前記雌側ロック部は、前記雌側連結管の軸線の周りに回転自在でかつ該軸線方向に拘束された状態で該雌側連結管の外周に設けられ、
前記雄コネクタは、雄側連結管と、該雄側連結管に固定された雄側ロック部とを備え、
前記雄側連結管は、他方の輸液管が接続される雄側接続部と、前記円錐内面に対応する円錐外面を有する雄側連結部とを備え、
前記雄側ロック部は、前端側が開放した円筒状で、前記雄ネジに対応する雌ネジを有する内壁を前記円錐外面の外周に備えることを特徴とする雄コネクタ。
【発明の詳細な説明】
【技術分野】
【０００１】
本発明は、輸液管を接続するための雌コネクタ及び雄コネクタに関する。
【背景技術】
【０００２】
従来、輸液管を接続する医療用のコネクタとして、雄コネクタと雌コネクタを備え、それぞれのテーパ部を介して連結されるコネクタが用いられている（例えば、特許文献１参照）。現状では、テーパ部として、ルアーテーパを用いたコネクタが、血管、麻酔、呼吸器などの治療分野で、分野を問わずに広く用いられている。
【０００３】
ルアーテーパを用いたコネクタが広範囲で使用されているので、かかるコネクタの誤接続による医療事故を回避するための工夫が考えられている。たとえば、経腸栄養ラインで用いられるコネクタでは、接続用のテーパとして、ルアーテーパとは接続できない形状を有するカテーテルテーパが設けられている。
【０００４】
また、欧州で使用されているヴィゴン（ＶＹＧＯＮ）社の栄養コネクタでは、雌コネクタ及び雄コネクタを、患者に対し、現状の他の医療用コネクタとは逆向きに配置して用いるようにしている。すなわち、他の医療用コネクタでは、患者側の輸液管に雌コネクタを取り付けて用いるのに対し、ヴィゴン社の栄養コネクタでは、患者側の輸液管に雄コネクタを取り付け、栄養セット側の輸液管に雌コネクタを取り付けるようにしている。
【０００５】
一方、ルアーテーパを用いた医療用コネクタとしては、輸液管を捩ることなくコネクタをロックできるという理由から、雄コネクタ上にロックリング等のロック部を有するものが一般的に用いられている。このようなロック部は、雄コネクタに対して回転自在に設けられているので、操作者は、雄コネクタに固定された輸液管に捩れを生じさせることなくロック部を回転操作してコネクタをロックすることができる。
【先行技術文献】
【特許文献】
【０００６】
【特許文献１】特表２００７−５１２８８５号公報
【発明の概要】
【発明が解決しようとする課題】
【０００７】
しかしながら、上述のように患者側の輸液管に雄コネクタを用いて誤接続を防止しようとする場合に、雄コネクタが上述の回転自在なロック部を有するとすると、患者側の輸液管端部にロック部が位置するので、次のような問題が発生する。
【０００８】
第１に、コネクタをロックするとき、患者側の輸液管端部に位置するロック部を回転操作することになるので、患者とは反対側の輸液管端部に位置するロック部を操作する一般的なコネクタの場合に比べて操作性が劣る。
【０００９】
第２に、患者側の輸液管端部に位置するロック部が、自由に回転し移動するので、このロック部の回転・移動により、患者の皮膚を損傷させるおそれがある。特に患者が新生児や小児である場合には、かかるリスクは最大限回避しなければならない。
【００１０】
本発明の目的は、かかる従来技術の問題点に鑑み、コネクタのロックを、雌コネクタ側において輸液管に捩れを生じさせることなく行うことができるコネクタを提供することにある。
【課題を解決するための手段】
【００１１】
本発明の雌コネクタは、２つの輸液管を接続するコネクタの雌コネクタであって、前記コネクタの雄コネクタは、雄側連結管と、該雄側連結管に固定された雄側ロック部とを備え、前記雄側連結管は、一方の輸液管が接続される雄側接続部と、前端にかけて径が漸減する円錐外面を有する雄側連結部とを備え、前記雄側ロック部は、前端側が開放した円筒状で雌ネジを有する内壁を前記円錐外面の外周に備え、前記雌コネクタは、雌側連結管と、前記雌ネジに対応する雄ネジを有する雌側ロック部とを備え、前記雌側連結管は、他方の輸液管に接続される雌側接続部と、前記円錐外面に対応する円錐内面を有する雌側連結部とを備え、前記雌側ロック部は、前記雌側連結管の軸線の周りに回転自在でかつ該軸線方向に拘束された状態で該雌側連結管の外周に設けられることを特徴とする。
【００１２】
本発明において、２つの輸液管を接続する際には、一方の輸液管が接続された雄コネクタの雄側連結管における雄側連結部の円錐外面を、他方の輸液管が接続された雌コネクタの雌側連結管における雌側連結部の円錐内面に挿入することにより、雄側連結管と雌側連結管が連結される。
【００１３】
そして、この連結状態は、雌コネクタの雌側ロック部を回転させてその雄ネジを雄コネクタの雄側ロック部の雌ネジに締結させることにより、ロックされる。このとき、雌側ロック部が雌側連結管に対して回転自在であるため、雌側ロック部を回転させても、雌側連結管に接続された輸液管が捩れることはない。
【００１４】
また、一般的な輸液の場合、輸液を受ける患者側の輸液管に雌コネクタが接続され、輸液製剤を供給する側の輸液管に雄コネクタが接続される。したがって、これとは逆に、特定の場合には、患者側の輸液管に雄コネクタを接続し、供給側の輸液管に雌コネクタを接続してコネクタの向きを逆にすることにより、一般の輸液を行う場合との間で誤接続が生じるのを防止することができる。
【００１５】
この特定の場合において本発明の雌コネクタを用いることにより、患者側の輸液管に接続される雄側コネクタの雄側ロック部は雄側コネクタに固定されているので、雄側ロック部の回転や移動による患者の皮膚の損傷を防止することができる。
【００１６】
また、供給側の輸液管に接続される雌コネクタの雌側ロック部を回転させる操作によりコネクタのロックを行うことができる。すなわち、供給側の輸液管に接続される従来の雄コネクタ上のロックリング等の操作によりコネクタのロックが行われる一般的な輸液の場合と同様に、供給側の輸液管の端部における操作でロックを行うことができる。このため、一般的な輸液の場合に比べて操作性が劣ることもない。
【００１７】
本発明において、前記雌側連結管は、前記雌側接続部の外周面に対向する円筒状の内面を有して前端側が開口した外輪部を備え、前記外輪部は、その内面側に突出した連結管側係合部を備え、前記雌側ロック部は、その前端側に向いたロック部側係合面を有するロック部側係合部を備え、前記連結管側係合部は、前記ロック部側係合面と接触して前記雌側ロック部の軸線周りの回転を許容しつつ前方への移動を阻止する連結管側係合面を有してもよい。
【００１８】
これによれば、雌コネクタの雌側ロック部を回転させる操作を行うとき、外輪部の外周を軽く押さえることにより、雌コネクタの雌側接続部に接続された輸液管が捩れるのを確実に防止することができる。
【００１９】
本発明において、前記連結管側係合部及び連結管側係合面は、前記外輪部の内面に沿った環状を呈しており、前記ロック部側係合部は、前記雌側ロック部の後端部からその軸線方向に延出したロッド部と、該ロッド部の前端部に設けられた鉤状部とを備え、前記ロック部側係合面は、前記鉤状部に設けられ、前記雌コネクタを組み立てる際に、該雌側ロック部のロッド部が弾性変形して前記鉤状部が前記連結管側係合部を乗り越えることにより、前記連結管側係合面と前記ロック部側係合面とが接触してもよい。
【００２０】
これによれば、連結管側係合部及びロック部側係合部を、雌コネクタの組立てと、雌側ロック部の軸線周りの回転を許容した前方への移動阻止との双方に利用することができる。
【００２１】
本発明において、前記ロック部側係合部は、前記雌側ロック部の後端部外周において周方向に沿って設けられた環状溝を備え、前記ロック部側係合面は、前記環状溝の側壁により構成され、前記雌コネクタを組み立てる際に、前記雌側ロック部の環状溝の部分における前記連結管側係合部に対応する部分が弾性変形して該連結管側係合部が該環状溝に嵌まることにより、前記連結管側係合面と前記ロック部側係合面とが接触してもよい。
【００２２】
これによれば、連結管側係合部及びロック部側係合部を、雌コネクタの組立てと、雌側ロック部の軸線周りの回転を許容した前方への移動阻止との双方に利用することができる。
【００２３】
本発明において、前記雌側連結管の雌側接続部及び雌側連結部は一体物であり、前記雌側ロック部及び雌側連結部は、別体であって、該雌側連結部の周方向外面が該雌側ロック部で覆われており、前記雌コネクタの組立ては、前記雌側ロック部に対してその後端側から、前記雌側連結管をその前端側から挿入することにより行われてもよい。これによれば、雌側ロック部の取付けを容易に行うことができる。
【００２４】
本発明において、前記雌側連結管の雌側接続部及び雌側連結部は別体であり、前記雌側ロック部及び雌側連結部は、一体物であって、前記雌側接続部に対し、双方の摺動面を介して一体的に回転自在であり、双方の摺動面の間には、シール部材が設けられ、前記雌側ロック部の取付けは、前記一体物に対してその後端側から、前記雌側接続部を挿入することにより行われてもよい。
【００２５】
これによれば、径方向に相互に隣接している雌側ロック部及び雌側連結部の部分では、雌側ロック部と雌側連結部とが一体となっており、これらが分離している場合のこれらの各厚さよりも厚くなっているので、その部分についての十分な成形性及び強度を確保することができる。
【００２６】
本発明において、前記雌側連結管の雌側接続部の外周に配置される筒状の固定部材を備え、前記雌側連結管は、その後端側に向いた連結管側接触面を有する凸部を前記雌側接続部の外周に備え、前記固定部材は、その前端側が、前記雌側ロック部の後端部に固定され、後端側の内側に、前記凸部の連結管側接触面と接触して前記雌側ロック部の軸線周りの回転を許容しつつ前方への移動を阻止する固定部側接触面を備えてもよい。
【００２７】
これによれば、簡単な構成で、雌側ロック部の軸線周りの回転を許容しつつ前方への移動を阻止することができる。
【００２８】
本発明において、前記雌側ロック部は、その外周に、その軸線方向に平行な凸条を有する操作部を備えてもよい。これによれば、操作部により、容易に雌側ロック部の回転操作を行うことができる。
【００２９】
本発明において、前記雌側ロック部の雄ネジに代えて、前記雄側ロック部の雌ネジによって変形されてネジ部が形成される部材を有してもよい。これによれば、雌側ロック部を、雄ネジを有する場合に比べて、より容易に形成することができる。
【００３０】
また、本発明に係る雄コネクタは、２つの輸液管を接続するコネクタの雄コネクタであって、前記コネクタの雌コネクタは、雌側連結管と、外周に雄ネジを有する雌側ロック部とを備え、前記雌側連結管は、一方の輸液管に接続される雌側接続部と、前端にかけて径が漸増する円錐内面を有する雌側連結部とを備え、前記雌側ロック部は、前記雌側連結管の軸線の周りに回転自在でかつ該軸線方向に拘束された状態で該雌側連結管の外周に設けられ、前記雄コネクタは、雄側連結管と、該雄側連結管に固定された雄側ロック部とを備え、前記雄側連結管は、他方の輸液管が接続される雄側接続部と、前記円錐内面に対応する円錐外面を有する雄側連結部とを備え、前記雄側ロック部は、前端側が開放した円筒状で、前記雄ネジに対応する雌ネジを有する内壁を前記円錐外面の外周に備えることを特徴とする。
【００３１】
これによれば、雌コネクタとの協働により、上述の雌コネクタによる効果を奏することができる。
【図面の簡単な説明】
【００３２】
【図１】本発明の第１実施形態に係るコネクタを示す説明図である。
【図２】図１のコネクタを構成する雄コネクタの断面図である。
【図３】（ａ）は図１のコネクタの雌コネクタの斜視図、（ｂ）は雌コネクタの雌側ロック部の斜視図、（ｃ）は雌コネクタの雌側連結管の斜視図、（ｄ）は雌コネクタの断面図、（ｅ）は（ｄ）の一部の拡大図である。
【図４】第２実施形態に係るコネクタの雌コネクタの雌側ロック部の斜視図である。
【図５】（ａ）は第３実施形態に係るコネクタの雌コネクタの斜視図、（ｂ）は雌コネクタの雌側ロック部の斜視図、（ｃ）は雌コネクタの雌側連結管の斜視図、（ｄ）は雌コネクタの断面図、（ｅ）は（ｄ）の一部の拡大図である。
【図６】（ａ）は第４実施形態に係るコネクタを構成する雌コネクタの斜視図、（ｂ）は雌コネクタを構成する雌側ロック部と雌側連結部との一体物の斜視図、（ｃ）は雌コネクタを構成する雌側接続部の斜視図、（ｄ）は雌コネクタの断面図である。
【図７】（ａ）は第５実施形態に係るコネクタを構成する雌コネクタの斜視図、（ｂ）は雌コネクタを構成する雌側連結部及び雌側ロック部の一体物の斜視図、（ｃ）は雌コネクタを構成する雌側接続部の斜視図、（ｄ）は雌コネクタを構成する固定部材の斜視図、（ｅ）は雌コネクタの断面図である。
【発明を実施するための形態】
【００３３】
以下、図面を用いて本発明の実施形態を説明する。図１は、本発明の第１実施形態に係るコネクタにより輸液管の接続が行われる様子を示す説明図である。
【００３４】
図１に示すように、本実施形態のコネクタ１は、２つの輸液管２及び３を接続するものであり、相互に連結される雄コネクタ４及び雌コネクタ５を備える。輸液管２は、一端が雄コネクタ４に接続され、他端側が患者に接続される。輸液管３は、一端が雌コネクタ５に接続され、他端側が輸液製剤や栄養バッグ等の輸液剤供給源に接続される。
【００３５】
なお、本明細書において、方向を示す「前」は、輸液管から、それに接続された雄コネクタ又は雌コネクタの方へ向かう方向を意味し、「後」はその逆方向を意味する。
【００３６】
図２は、雄コネクタ４の断面図である。図２に示すように、雄コネクタ４は、雄側連結管６と、雄側連結管６に固定された雄側ロック部７とを備える。雄側連結管６は、輸液管２が接続される雄側接続部８と、前端にかけて径が漸減する円錐外面９を有する雄側連結部１０とを備える。
【００３７】
雄側ロック部７は、前端側が開放した円筒状で雌ネジ１１を有する内壁を円錐外面９の外周に備える。雄側接続部８への輸液管２の接続は、例えば、輸液管２の端部を、雄側接続部８に挿入して嵌合させることにより行われる。
【００３８】
図３（ａ）は、雌コネクタ５の斜視図、図３（ｂ）は、雌コネクタ５を構成する雌側ロック部１２の斜視図、図３（ｃ）は、雌コネクタ５を構成する雌側連結管１３の斜視図、図３（ｄ）は、雌コネクタ５の断面図、そして図３（ｅ）は、図３（ｄ）の一部の拡大図である。
【００３９】
図３に示すように、雌コネクタ５は、雌側連結管１３と、雄側ロック部７の雌ネジ１１（図２参照）に対応する雄ネジ１４を有する雌側ロック部１２とを備える。雌側連結管１３は、輸液管３（図１参照）に接続される雌側接続部１５と、雄側連結部１０の円錐外面９（図２参照）に対応する円錐内面１６を有する雌側連結部１７とを備える。雌側接続部１５への輸液管３の接続は、例えば、輸液管３の端部を、雌側接続部１５に挿入して嵌合させることにより行われる。
【００４０】
雌側ロック部１２は、雌側連結管１３の軸線の周りに回転自在でかつ該軸線方向に拘束された状態で雌側連結管１３の外周に設けられる。雌側接続部１５及び雌側連結部１７は一体物であり、雌側ロック部１２及び雌側連結部１７は、別体であって、雌側連結部１７の周方向外面が雌側ロック部１２で覆われている。雌側ロック部１２の材料としては、弾性変形し易いポリプロピレン、ポリエチレン、ナイロン等が用いられる。
【００４１】
雌側連結管１３は、雌側接続部１５の外周面に対向する円筒状の内面を有して前端側が開口した外輪部１８を備える。外輪部１８の後端側は、雌側接続部１５の後端外周に位置するフランジ部１９を介して雌側接続部１５に固定される。外輪部１８は、その内面側に突出した環状の連結管側係合部２０を備える。雌側ロック部１２は、前方を向いたロック部側係合面２１を有するロック部側係合部２２を備える。
【００４２】
連結管側係合部２０は、ロック部側係合面２１と接触して雌側ロック部１２の軸線周りの回転を許容しつつ前方への移動を阻止する連結管側係合面２３を有する。連結管側係合部２０及び連結管側係合面２３は、外輪部１８の内面に沿った環状を呈している。
【００４３】
ロック部側係合部２２は、雌側ロック部１２の後端部からその軸線方向に延出したロッド部２４と、ロッド部２４の後端部に設けられた鉤状部２５とを備える。ロック部側係合面２１は、鉤状部２５に設けられる。鉤状部２５の後端側は、傾斜面となっており、雌コネクタ５の組立て時に、鉤状部２５が連結管側係合部２０を容易に乗り越えることができるようになっている。
【００４４】
雌側ロック部１２は、その外周に、その軸線方向に平行な２本の凸条２６を該軸線に関して対称な位置に有する操作部２７を備える。操作部２７は、雄ネジ１４よりも後方に位置しており、操作部２７の後端面が、雌側ロック部１２の後端面２８（図３（ｅ）参照）となっている。
【００４５】
ロック部側係合部２２のロッド部２４は、後端面２８から延出する。連結管側係合部２０は、連結管側係合面２３とは反対側に、後端面２８に接触する接触面２９を有する。接触面２９は、後端面２８と協働し、雌側ロック部１２について、軸線周りの回転を許容しつつ、後方への移動を阻止する。
【００４６】
雌コネクタ５の組立ては、雌側ロック部１２を雌側連結管１３に取り付けることにより行われる。この取付けは、雌側ロック部１２に対して後方から、雌側連結管１３をその前端側から挿入することにより行われる。
【００４７】
この挿入は、雌側ロック部１２のロッド部２４等が弾性変形して鉤状部２５が連結管側係合部２０を乗り越えるまで行われる。これにより、ロック部側係合部２２と連結管側係合部２０とが係合状態となり、雌コネクタ５の組立てが完了する。
【００４８】
組立が完了すると、雌側ロック部１２のロック部側係合面２１及び後端面２８と、雌側連結管１３の連結管側係合面２３及び接触面２９とがそれぞれ接触する（図３（ｅ）参照）。これにより、雌側ロック部１２は、軸線周りの回転を許容しつつ前後方向（軸線方向）への移動が阻止された状態となる。
【００４９】
輸液管２及び３を接続する際には、輸液管２が接続された雄コネクタ４の雄側連結部１０の円錐外面９（図２参照）を、輸液管３が接続された雌コネクタ５の雌側連結部１７の円錐内面１６に挿入することにより、雄側連結管６と雌側連結管１３とが連結される。
【００５０】
そして、この連結状態は、雌側ロック部１２の操作部２７を回転操作することによりロックされる。すなわち、操作部２７の回転操作により、雌側ロック部１２の雄ネジ１４が雄側ロック部７の雌ネジ１１に締結し、雄コネクタ４及び雌コネクタ５が相互に固定される。
【００５１】
このとき、雌側ロック部１２が雌側連結管１３に対して回転自在であるため、雌側ロック部１２を回転させても、雌側連結管１３に接続された輸液管３に捩れが生じることはない。なお、操作部２７の回転操作時に、外輪部１８の外周を軽く押さえることにより、輸液管３の捩れは確実に回避される。
【００５２】
ところで、一般的な輸液の場合、輸液を受ける患者側の輸液管に雌コネクタが接続され、輸液を供給する側の輸液管に雄コネクタが接続される。したがって、これとは逆に、特定の場合には、患者側の輸液管に雄コネクタを接続し、供給側の輸液管に雌コネクタを接続してコネクタの向きを逆にすることにより、一般の輸液を行う場合との間で誤接続が生じるのを防止することができる。
【００５３】
このようにして誤接続を防止するために、本実施形態では、患者側の輸液管２に雄コネクタ４を用い、供給側の輸液管３に雌コネクタ５を用いている。これによれば、患者側の輸液管２に接続された雄コネクタ４の雄側ロック部７が雄コネクタ４に固定されているので、雄側ロック部７が、患者の皮膚に触れて回転したり軸線方向に移動したりすることによって患者の皮膚に損傷を生じさせるおそれはない。
【００５４】
また、供給側の輸液管３に接続された雌コネクタ５の操作部２７を操作することによりコネクタ１のロックが行われる。すなわち、供給側の輸液管に接続される従来の雄コネクタ上のロックリング等の操作によりコネクタのロックが行われる一般的な輸液の場合と同様に、供給側の輸液管３の端部に位置する操作部２７の操作によりロックが行われる。このため、一般的な輸液の場合に比べて操作性が劣ることはない。
【００５５】
以上のように、本実施形態によれば、雌コネクタ５に、雌側連結管１３の軸線の周りに回転自在でかつ該軸線方向に拘束された雌側ロック部１２を設けたので、コネクタのロックを、雌コネクタ５側において輸液管３に捩れを生じさせることなく行うことができる。また、患者側の輸液管２に雄コネクタ４を用い、供給側の輸液管３に雌コネクタ５を用いることにより、操作性を劣化させることなく、患者の皮膚に損傷を生じさせるのを防止することができる。
【００５６】
また、雌側連結管１３は、連結管側係合部２０を有する外輪部１８を備えるので、外輪部１８を雌側ロック部１２との係合に利用するとともに、外輪部１８を、雌側ロック部１２の回転操作時に軽く押さえることにより、輸液管３の捩れを確実に防止することができる。
【００５７】
また、雌コネクタ５の組立を、連結管側係合部２０とロック部側係合部２２とを係合させ、連結管側係合面２３とロック部側係合面２１とを接触させることにより行うようにしたので、連結管側係合部２０及びロック部側係合部２２を、雌コネクタ５の組立てと、雌側ロック部１２の回転を許容した前方への移動阻止との双方に利用することができる。
【００５８】
図４は、第２実施形態に係るコネクタの雌コネクタに取り付けられる雌側ロック部３０の斜視図である。図４に示すように、この雌側ロック部３０は、図３（ｂ）の雌側ロック部１２の雄ネジ１４に代えて、雄側ロック部７の雌ネジ１１（図２参照）によって変形されてネジ部が形成される締結部材３１を有すること以外は、図３（ｂ）の雌側ロック部１２と同様の構成を有する。
【００５９】
締結部材３１は、雌側ロック部３０の軸線に沿った４本の凸条により構成される。４本の凸条は、雌側ロック部３０の前端側の外周に９０°間隔で配置される。雌側ロック部３０は、図３（ｂ）の雌側ロック部１２と同様の弾性変形し易い材料を用いて、締結部材３１と一体的に形成される。
【００６０】
連結されたコネクタをロックするために、雌側ロック部３０の操作部２７が回転操作されると、雄側ロック部７の雌ネジ１１が締結部材３１を横切ることにより、締結部材３１が変形されてネジ部が形成され、雌ネジ１１と締結部材３１とが締結される。これにより、第１実施形態の場合と同様にして、コネクタがロックされる。本実施形態における他の構成や作用効果については、第１実施形態の場合と同様である。
【００６１】
図５（ａ）は、第３実施形態に係るコネクタを構成する雌コネクタ３２の斜視図、図５（ｂ）は、雌コネクタ３２を構成する雌側ロック部３３の斜視図、図５（ｃ）は、雌コネクタ３２を構成する雌側連結管３４の斜視図、図５（ｄ）は、雌コネクタ３２の断面図、そして図５（ｅ）は、図５（ｄ）の一部の拡大図である。
【００６２】
図５に示すように、雌コネクタ３２の雌側ロック部３３は、図３（ｂ）の雌側ロック部１２のロック部側係合部２２に代えて、環状のロック部側係合部３５を有すること以外は、図３（ｂ）の雌側ロック部１２と同様の構成を備える。ロック部側係合部３５は、雌側ロック部３３の後端部に設けられ、その外周において周方向に沿った環状溝３６を備える。
【００６３】
環状溝３６は、図５（ｅ）に示すように、後方側の側壁により構成される環状のロック部側係合面３７と、前方側の側壁により構成される環状面３８とを備える。ロック部側係合部３５において、環状溝３６よりも後方側の部分は、後端にかけて径が漸減するテーパ状となっている。ロック部側係合部３５の後端面は、雌側接続部１５後端のフランジ部１９に接しており、雌側ロック部３３について、軸線周りの回転を許容しつつ後方への移動を阻止している。
【００６４】
また、雌コネクタ３２における雌側連結管３４は、図３（ｃ）の雌側連結管１３における外輪部１８に代えて外輪部３９を備えること以外は、雌側連結管１３と同様の構成を有する。外輪部３９は、外輪部３９の内面側の一部分において突出した連結管側係合部４０を備える。
【００６５】
連結管側係合部４０は、ロック部側係合部３５のロック部側係合面３７と接触して雌側ロック部３３の軸線周りの回転を許容しつつ前方への移動を阻止する連結管側係合面４１と、ロック部側係合部３５の環状面３８と接触して雌側ロック部３３の軸線周りの回転を許容しつつ後方への移動を阻止する接触面４２とを備える。
【００６６】
雌側ロック部３３は、図３（ｂ）の雌側ロック部１２の場合と同様に、弾性変形しやすい材料で形成される。雌コネクタ３２の組立ては、図３の雌コネクタ５の場合と同様に、雌側ロック部３３に対してその後端側から、雌側連結管３４をその前端側から挿入することにより行われる。
【００６７】
この挿入は、雌側ロック部３３の環状溝３６の部分における連結管側係合部４０に対応する部分が弾性変形して連結管側係合部４０が環状溝３６に嵌まるまで行われる。これにより、ロック部側係合部３５と連結管側係合部４０とが係合状態となり、雌コネクタ３２の組立てが完了する。
【００６８】
組立が完了すると、連結管側係合部４０の連結管側係合面４１及び接触面４２とロック部側係合部３５のロック部側係合面３７及び環状面３８とが接触する。また、ロック部側係合部３５の後端面が、雌側接続部１５後端のフランジ部１９に接触する。これにより、雌側ロック部３３は、軸線周りの回転を許容しつつ前後方への移動が阻止された状態となる。本実施形態における他の構成や作用効果については、第１実施形態の場合と同様である。
【００６９】
図６（ａ）は、第４実施形態に係るコネクタを構成する雌コネクタ４３の斜視図、図６（ｂ）は、雌コネクタ４３を構成する雌側ロック部４４と雌側連結部４５との一体物の斜視図、図６（ｃ）は、雌コネクタ４３を構成する雌側接続部４６の斜視図、そして図６（ｄ）は、雌コネクタ４３の断面図である。
【００７０】
図６に示すように、雌コネクタ４３では、別体として形成される雌側連結部４５及び雌側接続部４６により雌側連結管４７が構成される。また、雌側ロック部４４及び雌側連結部４５は、一体物として形成される。
【００７１】
雌側ロック部４４及び雌側連結部４５の一体物は、雌側接続部４６に対し、双方の摺動面４８を介して回転自在であり、双方の摺動面４８の間には、シール部材としてのＯリング４９が設けられる。雌側接続部４６は、前端部がその後端側の主要部よりも径が小さな小径部５０となっており、小径部５０を介して雌側連結部４５に接続する。
【００７２】
摺動面４８は、小径部５０の前端面から、雌側接続部４６の外周面と雌側ロック部４４の後端面とが交差する箇所にまで及ぶ。Ｏリング４９は、小径部５０の外周後端の段差部と、これに対応する雌側ロック部４４及び雌側連結部４５の一体物における段差部との間に設けられる。
【００７３】
雌側接続部４６の外周には、図５（ｃ）の雌側連結管３４における外輪部３９よりも長い外輪部５１が設けられる。外輪部５１は、雌側接続部４６のほぼ中央に位置するようにフランジ部５３を介して雌側接続部４６に固定される。外輪部５１は、外輪部３９の連結管側係合部４０と同様の連結管側係合部５２を備える。連結管側係合部５２は、連結管側係合部４０の場合と同様に、連結管側係合面４１及び接触面４２を備える。
【００７４】
外輪部５１には、各連結管側係合部５２の両側近傍において、前端からフランジ部５３の前面にかけて、矩形状の切欠き５１ｂが設けられる。これにより、連結管側係合部５２は、弾性変形がし易くなっている。
【００７５】
雌側ロック部４４は、図５（ｂ）の雌側ロック部３３のロック部側係合部３５と同様の環状溝３６を有するロック部側係合部５５を備える。ロック部側係合部５５は、ロック部側係合部３５と同様に、ロック部側係合面３７及び環状面３８を備える。ただし、ロック部側係合部５５は、フランジ部５３に接触しない。
【００７６】
また、雌側ロック部４４は、図５（ｂ）の雌側ロック部３３の操作部２７の代わりに、凸条２６を４本有する操作部５４を備える。操作部５４は、外輪部５１が雌側接続部４６のほぼ中央に位置することに応じて、操作部２７よりも短い。
【００７７】
雌コネクタ４３の組立ては、雌側ロック部４４及び雌側連結部４５の一体物に対してその後方から、Ｏリング４９を装着した雌側接続部４６を、摺動面４８に沿って挿入することにより行われる。
【００７８】
この挿入は、雌側ロック部４４の環状溝３６の部分における連結管側係合部５２に対応する部分が弾性変形して連結管側係合部５２が環状溝３６に嵌まるまで行われる。このとき、連結管側係合部５２も弾性変形し易いので、挿入は容易に行われる。これにより、ロック部側係合部５５と連結管側係合部５２とが係合状態となり、雌コネクタ４３の組立てが完了する。
【００７９】
組立が完了すると、連結管側係合部５２の連結管側係合面４１及び接触面４２とロック部側係合部５５のロック部側係合面３７及び環状面３８とが接触する。また、雌側接続部４６の小径部５０の前端面が、雌側連結部４５の対応部分に当接する。
【００８０】
これにより、雌側ロック部４４は、軸線周りの回転を許容しつつ前後方向への移動が阻止された状態となる。本実施形態における他の構成や作用効果については、第１実施形態の場合と同様である。
【００８１】
図７（ａ）は、第５実施形態に係るコネクタを構成する雌コネクタ５６の斜視図、図７（ｂ）は、雌コネクタ５６を構成する雌側連結部５７及び雌側ロック部５８の一体物の斜視図、図７（ｃ）は、雌コネクタ５６を構成する雌側接続部５９の斜視図、図７（ｄ）は、雌コネクタ５６を構成する固定部材６０の斜視図、そして図７（ｅ）は、雌コネクタ５６の断面図である。
【００８２】
図７に示すように、雌コネクタ５６では、図６の第４実施形態の場合と同様に、別体として形成される雌側連結部５７及び雌側接続部５９により雌側連結管６１が構成される。また、雌側ロック部５８及び雌側連結部５７は、一体物として形成される。
【００８３】
雌コネクタ５６は、雌側連結管６１の雌側接続部５９の外周に配置される筒状の固定部材６０を備える。雌側連結管６１は、図６中の外輪部５１及びフランジ部５３に代えて、環状の凸部６２を雌側接続部５９の外周に備えること以外は、図６の第４実施形態における雌側連結管４７と同様の構成を有する。凸部６２は、後方に向いた連結管側接触面６３を備える。
【００８４】
雌コネクタ５６の雌側ロック部５８は、図６中のロック部側係合部５５に代えて、操作部５４の後端側に隣接する円筒部６４を備えること以外は、図６の第４実施形態における雌側ロック部４４と同様の構成を有する。
【００８５】
固定部材６０は、その前端側が、円筒部６４に固定され、後端部の内側に、雌側接続部５９の凸部６２の連結管側接触面６３と接触して雌側ロック部５８の軸線周りの回転を許容しつつ前方への移動を阻止する固定部側接触面６５を備える。
【００８６】
雌コネクタ５６の組立てに際しては、雌側ロック部５８及び雌側連結部５７の一体物に対してその後端側から、Ｏリング４９を装着した雌側接続部５９を挿入する。この挿入は、雌側接続部５９の小径部５０の前端面が、雌側連結部５７の対応部分に当接するまで行われる。次に、雌側ロック部５８の円筒部６４に固定部材６０の前端側を外嵌して固定し、連結管側接触面６３に固定部側接触面６５を当接させる。
【００８７】
これにより、雌コネクタ５６の組立てが完了し、雌側ロック部５８は、雌側連結管６１の軸線の周りに回転自在でかつ該軸線方向に拘束された状態となる。本実施形態における他の構成や作用効果については、第１実施形態の場合と同様である。
【００８８】
なお、本発明は上述の各実施形態に限定されない。例えば、図４中の締結部材３１は、図３の実施形態に限らず、図５〜図７の実施形態においても、雄ネジ１４に代えて採用することができる。
【符号の説明】
【００８９】
１…コネクタ、２、３…輸液管、４…雄コネクタ、６…雄側連結管、５、３２、４３、５６…雌コネクタ、７…雄側ロック部、８…雄側接続部、９…円錐外面、１０…雄側連結部、１１…雌ネジ、１２、３０、３３、４４、５８…雌側ロック部、１３、３４、４７、６１…雌側連結管、１４…雄ネジ、１５、４６、５９…雌側接続部、１６…円錐内面、１７、４５、５７…雌側連結部、１８、３９、５１…外輪部、２０、４０、５２…連結管側係合部、２１、３７…ロック部側係合面、２２、３５、５５…ロック部側係合部、２３、４１…連結管側係合面、２４…ロッド部、２５…鉤状部、２６…凸条、３１…締結部材、３６…環状溝、４８…摺動面、４９…Ｏリング（シール部材）、６０…固定部材、６２…凸部、６３…連結管側接触面、６５…固定部側接触面。
【図１】
2014117479.tif 000003
【図２】
2014117479.tif 000004
【図３】
2014117479.tif 000005
【図４】
2014117479.tif 000006
【図５】
2014117479.tif 000007
【図６】
2014117479.tif 000008
【図７】
2014117479.tif 000009